(57)【要約】【課題】内蔵物への切粉の混入を確実に防止し、良好な周囲環境を実現することができる缶切装置を提供する。【解決手段】本発明による缶切装置は、巻締め部により缶胴と缶蓋が密封されている缶（Ｃ）を缶切りする缶切装置である。缶切装置（１）は、缶（Ｃ）を載せる回転テーブル（４）と、この回転テーブル（４）に載せられた缶（Ｃ）を回転させながら、缶（Ｃ）の巻締め部の外周を切断して缶切りを行う缶切断装置（６）と、缶切断装置（６）による缶切りが行われているときに生成される切粉を吸引して回収する吸引回収装置（８）と、を有する。【選択図】　　　図１
2004001859.tif 000002
【特許請求の範囲】
【請求項１】
巻締め部により缶胴と缶蓋が密封されている缶を缶切りする缶切装置であって、
上記缶を載せる回転テーブルと、
この回転テーブルに載せられた缶を回転させながらこの缶の巻締め部の外周を切断して缶切りを行う缶切断手段と、
この缶切断手段による缶切りが行われているときに生成される切粉を吸引して回収する吸引回収手段と、
を有することを特徴とする缶切装置。
【請求項２】
上記缶切断手段は、巻締め部の外周に切り込むカッター手段と、缶の巻締め部をその内周側から上記カッター手段に向って押付けながら缶を回転させる缶駆動手段とを有し、上記吸引回収手段は、上記カッター手段の下側近傍に設けられた下側吸引ノズルを有する請求項１記載の缶切装置。
【請求項３】
上記吸引回収手段は、上記缶駆動手段を上方から覆うように設けられた上側吸引ノズルを有する請求項２に記載の缶切装置。
【請求項４】
上記吸引回収手段は、上記カッター手段を缶の周方向に挟むように上記カッター手段の近傍に設けられた横側吸引ノズルを有する請求項２に記載の缶切装置。
【請求項５】
上記吸引回収手段は、更に、上記下側吸引ノズル、上記上側吸引ノズル、又は、上記横側吸引ノズルの吸引力を調整するための吸引力調整手段を有する請求項２乃至４の何れか１項に記載の缶切装置。
【請求項６】
上記吸引回収手段は、サニタリー構造である請求項２乃至５の何れか１項に記載の缶切装置。
【請求項７】
上記回転テーブル、上記缶切断手段及び上記吸引回収手段を搭載する移動可能なフレームを更に有する請求項１乃至６の何れか１項に記載の缶切装置。
【請求項８】
上記フレームは、平らな上面を有し、この上面レベルと上記回転テーブルの上面レベルとは、ほぼ同じである請求項７に記載の缶切装置。
【発明の詳細な説明】
【０００１】
【発明の属する技術分野】
本発明は、缶切装置に係わり、更に詳細には、巻締め部により缶胴と缶蓋が密封されている缶を缶切りする缶切装置に関する。
【０００２】
【従来の技術】
食品産業分野では、従来から、巻締め部により缶胴と缶蓋とが密封されている缶が利用されている。図６は、このような缶Ｃを示す部分断面図である。図６に示すように、缶蓋Ｌの端部を缶胴Ｂの端部と共に巻込んだ巻締め部Ｒにより、缶蓋Ｌと缶胴Ｂとが密封されている。
このような缶Ｃの缶切りを行なう場合、巻締め部外周Ｃ１を切断する方法が知られている。この方法は、巻締め部内側の箇所Ｃ２又は巻締め部下側の箇所Ｃ３を切断する方法よりも、缶切り時において切粉が缶Ｃの内蔵物に混入し難いので、他の切断方法よりも優れている。
【０００３】
また、上述の巻締め部外周Ｃ１を切断する方法により、缶切りを行う缶切装置が、特開平第　７−３００１９５号公報に開示されている。この缶切装置は、缶を載せる回転テーブルと、この回転テーブルに載せられた缶を回転させながらこの缶の巻締め部の外周を切断して缶切りを行う缶切断装置と、を有している。
上述の缶切装置によれば、回転テーブルに載せられた缶を缶切断装置によって回転させながら、缶の巻締め部の外周を切断し、それにより、缶切りが行われる。
【０００４】
【発明が解決しようとする課題】
しかしながら、従来の缶切装置は、缶の巻締め部の外周を切断するときに生じた切粉をそのまま下に落下させていた。この場合、生じた切粉は、上述のように缶切りしている缶の内蔵物に混入し難いけれども、切粉が散在した作業環境は良好な作業環境とはいえず、後行程において、切粉が内蔵物に混入する可能性がある。
また、缶の巻締め部を切断している間、缶蓋がゆがんで、缶蓋と缶胴との間に隙間が生じることがある。特に、缶の巻締め部の外周を切断し終わる直前、切断部近傍で隙間が最も大きくなることがある。それにより、切断時に四方に飛散る切粉が、内蔵物に混入するおそれがある。
更に、缶の巻締め部の外周の切断をぴったり一周で終了することは困難であり、幾分、切断領域が重なってしまう。その場合、切断し終わった缶蓋が缶胴からずれて隙間が生じ、その隙間から切粉が内蔵物に混入するおそれもある。
そこで、本発明は、内蔵物への切粉の混入を確実に防止し、良好な周囲環境を実現することができる缶切装置を提供することを目的としている。
【０００５】
【課題を解決するための手段】
上記目的を達成するために、本発明による缶切装置は、巻締め部により缶胴と缶蓋が密封されている缶を缶切りする缶切装置であって、缶を載せる回転テーブルと、この回転テーブルに載せられた缶を回転させながらこの缶の巻締め部の外周を切断して缶切りを行う缶切断手段と、この缶切断手段による缶切りが行われているときに生成される切粉を吸引して回収する吸引回収手段と、を有することを特徴としている。
【０００６】
このように構成された本発明による缶切装置によれば、回転テーブルに載せられた缶を缶切断手段によって回転させながら、缶の巻締め部の外周を切断し、それにより、巻締め部により缶胴と缶蓋が密封されている缶の缶切りが行われる。また、吸引回収手段によって、缶切断手段による缶切りが行われているときに生成される切粉を吸引して回収することができるので、内蔵物への切粉の混入を確実に防止し、良好な周囲環境を実現することができる。
本発明において、好ましくは、缶切断手段は、巻締め部の外周に切り込むカッター手段と、缶の巻締め部をその内周側からカッター手段に向って押付けながら缶を回転させる缶駆動手段とを有し、吸引回収手段は、カッター手段の下側近傍に設けられた下側吸引ノズルを有する。
【０００７】
このように構成された本発明においては、缶切の際、巻締め部の外周に切り込んでいるカッター手段から切粉が生成され、大部分の切粉は落下するが、カッター手段の下側に設けられた下側吸引ノズルによって、落下した大部分の切粉を吸引し、回収することができる。また、下側吸引ノズルがカッター手段の下側近傍に設けられているので、切粉が生成された直後に、切粉を吸引して回収することができる。それにより、切粉の回収率を向上させることができる。
【０００８】
本発明において、好ましくは、吸引回収手段は、缶駆動手段を上方から覆うように設けられた上側吸引ノズルを有する。
この場合、缶切の際に上方に飛ばされた切粉及び缶駆動手段に付着した切粉を、上側吸引ノズルによって吸引して回収することができる。
【０００９】
本発明において、好ましくは、吸引回収手段は、カッター手段を缶の周方向に挟むようにカッター手段の近傍に設けられた横側吸引ノズルを有する。
この場合、缶切の際に缶の周方向に飛ばされる切粉を横側吸引ノズルによって吸引して回収することができる。また、横側吸引ノズルがカッター手段の近傍に設けられているので、缶切が進行して、缶蓋と缶胴との間に隙間が生じた場合であっても、切粉がその隙間に到達する前に切粉を吸引回収することができ、内蔵物への切粉の混入を確実に防止することができる。
【００１０】
本発明において、好ましくは、吸引回収手段は、更に、下側吸引ノズル、上側吸引ノズル、又は、横側吸引ノズルの吸引力を調整するための吸引力調整手段を有する。
【００１１】
このように構成された本発明においては、切粉の生成量に応じた吸引力で切粉を吸引することができる。また、吸引ノズルが複数ある場合、各吸引ノズル間の吸引力を調整することができる。また、缶切が進行して、缶蓋と缶胴との間に隙間が生じた場合、その隙間から内蔵物を吸引しないような吸引力に調整することができる。
【００１２】
本発明において、好ましくは、吸引回収手段は、サニタリー構造である。
このように構成された本発明においては、缶切の進行により、缶蓋と缶胴との間に隙間が生じたときに缶の内蔵物を吸引してしまった場合であっても、吸引回収手段がサニタリー構造になっているので、吸引回収手段を容易に掃除することができる。それにより、吸引回収手段を衛生的に保つことができる。
【００１３】
本発明において、好ましくは、回転テーブル、缶切断手段、及び、吸引回収手段を搭載する移動可能なフレームを更に有する。
このように構成された本発明においては、回転テーブル、缶切断手段及び吸引回収手段がフレームに設けられているので、缶切装置をコンパクトにすることができる。また、所望の作業場所にフレームを移動して、缶切作業を行うことができる。また、フレームを移動させれば、缶切装置の周囲の掃除がしやすくなる。それにより、良好な作業環境を確保することができると共に、作業効率を向上させることができる。
【００１４】
本発明において、好ましくは、フレームは、平らな上面を有し、この上面レベルと回転テーブルの上面レベルとは、実質的に同じである。
このように構成された本発明においては、フレーム上面に載せた缶を滑らせて、回転テーブルの上面に移動させることができるので、作業効率を更に向上させることができる。
【００１５】
【発明の実施の形態】
以下、図面を参照して、本発明の実施形態による缶切装置を説明する。
図１は、本発明の実施形態による缶切装置の正面図であり、図２は、図１の缶切装置の平面図であり、図３は、図１の缶切装置の左側面からの概略図である。図１に示すように、缶切装置１は、フレーム２を有し、このフレーム２には、缶Ｃを載せる回転テーブル４と、この回転テーブル４に載せられた缶Ｃを回転させながら、缶Ｃの巻締め部の外周を切断して缶切りを行う缶切断装置６と、この缶切断装置６による缶切りが行われているときに生成される切粉を吸引して回収する吸引回収装置８と、が設けられている。
【００１６】
フレーム２は、上面部材１０と、底面部材１２と、それらを上下方向に連結する４つの支柱１４を有する。上面部材１０は、平らなフレーム上面１６と、回転テーブル４を受入れる切欠き１８を有する。フレーム２は、更に、回転テーブル４及び缶切断装置６を支持する支持部材２０を上面部材１０の下方に有している。また、フレーム２は、底面部材１２に取付けられた４つのストッパ付きキャスター２２によって移動可能である。
【００１７】
回転テーブル４は、フレーム２の支持部材２０に取付けられている支持プレート２４を有し、この支持プレート２４は、ほぼ水平面内で自由に回転する円形の回転板２６を支持している。回転板２６の上面２８は平らである。回転板２６は、その上面２８のレベルがフレーム上面１６のレベルとほぼ同じになるように、フレーム２の切欠き１８の中に配置されている。
【００１８】
缶切断装置６は、支持プレート２４に対する相対位置を変えるために支持プレート２４に摺動可能に取付けられた支持ベース２９に、上下移動可能に支持されている。具体的には、缶切断装置６は、支持ベース２９に設けられた上下方向孔３０を摺動可能に嵌合するシャフト３２を有し、支持ベース２９とシャフト３２とが固定具３４によって固定されるようになっている。シャフト３２の上端部には、ベースプレート３６が固定されている。
【００１９】
次に、図４を参照して、切断装置を詳細に説明する。図４は、切断装置の部分断面図である。図５は、図４のＡ−Ａにおける左側面図である。
図４に示すように、缶切断装置６のベースプレート３６の缶Ｃに隣接した端部４０に、回転テーブル４に載せられた缶Ｃの巻締め部Ｒの外周に切り込むカッター４２が設けられている。カッター４２は、円形の刃からなり、鉛直方向軸線４４を中心に自由回転する。
【００２０】
また、缶切断装置６は、ベースプレート３６からトッププレート４６まで上下方向に延びる２本のガイドシャフト４８に沿って上下方向に摺動するブロック５０と、このブロック５０を水平方向に貫いて延びる駆動シャフト５２とを有する。この駆動シャフト５２は、その長手方向軸線５４を中心に回転可能に且つそれに沿って摺動可能にブロック５０に嵌合している。駆動シャフト５２の缶Ｃに隣接した端部５６は、カッター４２の上を越えて回転テーブル４の上に載せられた缶Ｃの上に延び、この端部５６には、円盤状の缶駆動輪５８が駆動シャフト５２と同心に固定されている。後述するブロック５０に対する駆動シャフト５２の回転及び摺動により、缶駆動輪５８は、缶Ｃの巻締め部Ｒをその内周側からカッター４２に向って押付けながら缶Ｃを回転させる。この缶駆動輪５８の缶Ｃの巻締め部Ｒ側の面は、巻締め部Ｒの内周及び上面に当接する段付き部６０を有し、段付き部６０は、周方向に凹凸をなしている。
【００２１】
以下、駆動シャフト５２の回転機構、摺動機構及び上下移動機構について説明する。
駆動シャフト５２の他方の端部６２は、駆動シャフト５２と同心にブロック５０に固定された円筒部材６４及びその内側に配置されたスラストベアリング６６を貫き、このスラストベアリング６６に当接する回転体６８に嵌合している。後述するように、回転体６８と駆動シャフト５２とが一体に回転するときと、回転体６８だけが回転するときとがある。回転体６８は、カップリング機構７０を介して減速機付き駆動モータ７２に連結されている。カップリング機構７０は、駆動シャフト５２及び回転体６８が上下に移動してもモーター７２の回転を回転体６８に伝達することができるように、モータ７２の出力軸７４に対して垂直にその出力軸７４を貫通する横棒７６と、横棒７６の両端部に１つずつ互いに反対側から横棒７６に係合するように回転体６８に連結された２本のピン７８とを有している。かくして、モータ７２の回転により、駆動シャフト５２が回転するようになっている。
【００２２】
図３及び図４に示すように、回転体６８のモーター７２側には、駆動シャフトと同心の凹部８０が設けられ、この凹部の底面８２に係合する作動ピン８４が、駆動シャフト５２の他方の端部６２に、それを垂直に貫くように固定されている。凹部８０の底面８２は、駆動シャフト５２が回転せず且つモーター７２側から缶Ｃ側に向って見て回転体６８が時計方向に回転するときに、作動ピン８４を長手方向軸線５４に沿ってモーター７２側に摺動させる傾斜面８６と、傾斜面８４に沿って摺動してきた作動ピン８４が係合する段付き部８８とを有する。かくして、作動ピン８４の摺動により、駆動シャフト５２がモーター７２側に摺動するようになっている。駆動シャフト５２の作動ピン８４が段付き部８８に係合した後、回転体６８と駆動シャフト５２とは、一体に時計方向に回転するようになっている。その結果、駆動シャフト５２に固定されている缶駆動輪５８は、缶Ｃの巻締め部Ｒをカッター４２に向って押付けながら時計方向に回転することになる。なお、以下に本明細書において指示する回転方向は、上述の場合と同様、モーター７２側から缶Ｃ側に向って見た回転方向をいうものとする。
【００２３】
円筒部材６４の外側には、駆動シャフト５２から偏心した円筒外面９０を有する偏心回転体９２が嵌合している。円筒外面９０は、ベースプレート３６に取付けられた下プレート９４とトッププレート４６に取付けられた上プレート９６とに当接している。偏心回転体９２は、長手方向軸線５４を中心に回転しながら２つのプレート９４、９６の間を横方向に移動することができ、その回転と同時に、円筒部材６４、ブロック５０、駆動シャフト５２及び缶駆動輪５８を一体に上下移動させる。偏心回転体９２には、それを回転させるためのハンドル９８が固定され、図５に示すように、ハンドル９８は、上昇位置１００から下降位置１０２との間を１８０度旋回させることができる。また、ベースプレート３６には、ハンドル９８が下降位置１０２にあることを感知するためのリミットスイッチ（図示せず）が設けられ、リミットスイッチには、モーター７２を作動させるスイッチ（図示せず）と、モーターの作動時間を制御するタイマー（図示せず）が接続されている。
【００２４】
また、図５に示すように、回転体６８には、それを反時計周りに回転させるラチェット１０４が固定され、ハンドル９８には、それを下降位置１０２から上昇位置１００に旋回させたときにラチェット１０４に係合するラチェット用爪１０６が取付けられている。ラチェット用爪１０６は、ばね１０８によってラチェットに向って付勢されている。円筒部材６４のフランジ１１０は、ハンドル９８が下降位置１０２にあるときにラチェット用爪１０６がラチェット１０４に係合しないようにラチェット１０４よりも大きい径になるように構成されている。
【００２５】
次に、図３を参照して、吸引回収装置８を説明する。図３に示すように、吸引回収装置８は、フレーム２の底面部材１２の上に配置されたブロワ１１２及び２つのフィルター１１４、１１６を有する。ブロワ１１２は、直列に接続された２つのフィルター１１４、１１６を介して、缶切断装置６の下方に設けられた分岐管１１８に接続されている。分岐管１１８は、ブロワ１１２からの管路を４つに分岐し、缶切断装置６のカッター４２の近傍に配置された４つの吸引ノズル１２０、１２２、１２４、１２６に接続されている。これらの吸引ノズル１２０、１２２、１２４、１２６は、缶切断装置６にブラケットを介して固定されている。下側吸引ノズル１２０は、カッター４２の下側近傍に上向きに設けられている。上側吸引ノズル１２２は、缶駆動輪５８を上方から覆うように下向きに設けられている。２つの横側吸引ノズル１２４、１２６は、カッター４２を缶Ｃの周方向に挟むようにカッター４２の近傍に且つそれに向けて設けられている。分岐管１１８と各吸引ノズル１２０、１２２、１２４、１２６の間には、ブロワ１１２による吸引空気量を調整するための絞り弁１２８が設けられている。ブロワ１１２から各吸引ノズル１２０、１２２、１２４、１２６に至る管路は、掃除することが容易なサニタリー構造になっている。即ち、管路は、ステンレススチール又は耐腐蝕性樹脂等の腐蝕しない材料で構成され、管路を構成する各部品に容易に分解して各部品を掃除できるようになっている。
【００２６】
次に、本発明による缶切装置の動作を説明する。
缶切りすべき缶Ｃの寸法に合せて、缶切断装置６の水平方向位置と上下方向位置を調整しておく。具体的には、支持プレート２４と支持ベース２９との間の水平方向相対位置及び支持ベース２９とシャフト３２との間の上下方向相対位置を調整する。
【００２７】
次いで、缶切りすべき缶Ｃをフレーム上面１６に載せ、缶Ｃを滑らせて、回転テーブル４の回転板２６の上に載せる。缶切断装置６のハンドル９８を上昇位置１００にして、缶駆動輪５８を上昇させ、カッター４２と缶駆動輪５８との間に、缶のＣ巻締め部Ｒを配置する。
【００２８】
次いで、ブロワ１１２を作動させ、ハンドル９８を下降位置１０２まで旋回させると、缶駆動輪５８が巻締め部Ｒの上面に当接するまで下降し、リミットスイッチ（図示せず）を介して、モーター７２及びタイマ（図示せず）が作動する。モーター７２の回転により、回転体６８が回転し、駆動シャフト５２の作動ピン８４が回転体６８の凹部８０の傾斜面８６の上を摺動して段付き部８８に係合することにより、缶駆動輪５８が缶Ｃの巻締め部Ｒをカッター４２に押し付けながら缶Ｃを回転させる。それにより、缶Ｃの巻締め部Ｒにカッター４２が切り込みながら、缶Ｃが一周し、缶切りが行われる。缶Ｃが一周するのに十分な所定時間経過後、タイマーによりモーター７２を停止させる。なお、完全な缶切を行うために、缶Ｃを一周以上させなければならないが、一周を超えるオーバーラップはできるだけ小さくすることが望ましい。
【００２９】
ハンドル９８を上昇位置１００まで回転させて、缶駆動輪５８を上昇させると共に、ハンドル９８のラチェット用爪１０６と回転体６８のラチェット１０４との係合により、回転体６８を駆動シャフト５２に対して反時計方向に回転させ、駆動シャフト５２の作動ピン８４と回転体６８段付き部８８との係合を解除する。それにより、缶駆動輪５８をカッター４２から遠ざけることができ、缶切りされた缶Ｃをカッター４２から外すことができる。
【００３０】
缶Ｃの巻締め部Ｒを切断するとき、切粉が発生するが、４つの吸引ノズル１２０、１２２、１２４，１２６から切粉を吸引し、回収することができる。詳細には、缶の巻締め部を切断したとき、大部分の切粉は、落下し、その他の切粉は、上方に飛び出して缶駆動輪に付着したり、缶の周方向に飛び出したりする。落下した大部分の切粉は、下側吸引ノズル１２０によって吸引される。また、上方に飛び出した切粉及び缶駆動輪に付着した切粉は、上側吸引ノズル１２２によって吸引される。また、缶の周方向に飛び出した切粉は、横側吸引ノズル１２４、１２６によって吸引される。これらの吸引ノズル１２０、１２２、１２４、１２６れによって吸引された切粉は、フィルター１１４、１１６によって回収される。上述のように、缶切装置１は、吸引回収装置８を有しているので、缶切断装置６による缶切りが行われているときに生成される切粉を吸引して回収することができ、内蔵物への切粉の混入を確実に防止し、良好な周囲環境を実現することができる。
【００３１】
特に、カッター４２の下方に設けられた下側吸引ノズル１２０によって、缶切の際に生成される大部分の切粉を吸引し、回収することができる。更に、上側吸引ノズル１２２及び横側吸引ノズル１２４、１２６によって、カッターから上方及び側方に飛び出した切粉を吸引し、回収することができるので、切粉の回収率を向上させることができる。また、下側吸引ノズル１２０及び横側吸引ノズル１２４、１２６は、カッター４２の近傍に設けられているので、切粉が生成された直後に、切粉を吸引して回収することができる。それにより、切粉の回収率を更に向上させることができる。これらの吸引ノズル１２０、１２２、１２４、１２６により、缶切の際に生成した切粉をほぼ完全に吸引し、回収することができるので、内蔵物への切粉の混入を確実に防止し、良好な周囲環境を実現することができる。
【００３２】
また、絞り弁１２８によって、切粉の生成量に応じた吸引力に調整したり、各吸引ノズル１２０、１２２、１２４、１２６間の吸引力を調整すれば、効率的に切粉を吸引して、回収することができる。
【００３３】
また、缶切が進行して、缶蓋と缶胴との間に隙間が生じた場合であっても、横側吸引ノズル１２４、１２６がカッター４２の近傍に設けられているので、切粉が上記隙間に到達する前に切粉を吸引回収することができ、内蔵物への切粉の混入を確実に防止することができる。その際、絞り弁１２８によって吸引力を調整すれば、その隙間から内蔵物を吸引しないような吸引力に調整することができる。また、切粉の吸引力を強くして内蔵物を吸引してしまった場合であっても、吸引回収装置８は、サニタリー構造になっているので、吸引回収装置８を容易に掃除することができる。それにより、吸引回収装置８の衛生を確保することができる。また、２つのフィルター１１４、１１６が直列に設けられているので、ブロワ１１２が損傷することを防止できる。
【００３４】
また、フレーム２がキャスター２２によって移動可能になっているので、所望の作業場所にフレーム２を移動して、缶切作業を行うことができる。また、フレーム２を移動させれば、缶切装置１の周囲の掃除がしやすくなる。それにより、良好な作業環境を確保することができると共に、作業効率を向上させることができる。
また、回転板上面２８のレベルとフレーム上面１６のレベルをほぼ同じにしているので、重い缶をフレーム上面１６から回転板上面２８に滑らせることができ、作業効率を向上させることができる。
【００３５】
以上、本発明による缶切装置の実施形態を説明したけれども、本発明は、上述の実施形態に限定されることなく、特許請求の範囲に記載された発明の範囲内で種々の変更が可能であり、それらも本発明の範囲内に包含されることはいうまでもない。
例えば、下側吸引ノズル１２０だけで切粉を吸引することができれば、上側吸引ノズル１２２又は横側吸引ノズル１２４、１２６を省略しても良い。また、横側吸引ノズル１２４、１２６の吸引範囲を広げるために、横側吸引ノズル１２４、１２６を缶胴の高さ方向にわたって延長しても良い。
また、缶切断装置６は、フレーム２から突出しているが、突出しないように配置しても良い。
【００３６】
【発明の効果】
本発明による缶切装置により、内蔵物への切粉の混入を確実に防止し、良好な周囲環境を実現することができる。
【図面の簡単な説明】
【図１】本発明の実施形態による缶切装置の正面図である。
【図２】図１の缶切装置の平面図である。
【図３】図１の缶切装置の左側面概略図である。
【図４】図１の缶切装置の缶切断装置の部分断面図である。
【図５】図４のＡ−Ａにおける左側面図である。
【図６】缶の巻締め部を示す断面図である。
【符号の説明】
１　　　缶切装置
２　　　フレーム
４　　　回転テーブル
６　　　切断装置
８　　　吸引回収装置
１６　　フレーム上面
２２　　キャスター
２８　　回転板上面
４２　　カッター
５８　　缶駆動輪
１２０　下側吸引ノズル
１２２　上側吸引ノズル
１２４　横側吸引ノズル
１２６　横側吸引ノズル
１２８　絞り弁
Ｂ　　缶胴
Ｃ　　缶
Ｌ　　缶蓋
Ｒ　　巻締め部
【図１】
2004001859.tif 000003
【図２】
2004001859.tif 000004
【図３】
2004001859.tif 000005
【図４】
2004001859.tif 000006
【図５】
2004001859.tif 000007
【図６】
2004001859.tif 000008